(57)【要約】【課題】汎用性に優れ、安定したワイヤ送出作業を行うことができ、縒り取り作業も容易かつ安全に行うことができるワイヤ送出装置を提供する。【解決手段】ワイヤ送出装置１００は、平面視形状が略長方形状をした架台１０と、架台１０の片方の短辺部材１０ａ側に立設された一対の支柱１１ａ，１１ｂと、支柱１１ａ，１１ｂからそれぞれ他方の短辺部材１０ｂ側に向かって水平に延設された梁材１２ａ，１２ｂの先端寄りに軸支されたガイド部材１３と、架台１０の長辺１０ｂ，１０ｃの長手方向に沿って移動可能に設けられた台車３０と、台車３０上に着脱可能に搭載されたドラム保持ユニット５０とを備えている。ドラム保持ユニット５０は、ワイヤドラム９０を回転自在に保持するドラム保持手段６０と、ドラム保持手段６０を仮想垂直線Ｌ周りに旋回可能に保持するターンテーブル８０を備えている。【選択図】図１
2014108887.tif 000002
【特許請求の範囲】
【請求項１】
軸心が略水平状態に配置されたワイヤドラムを前記軸心の両側部分において当該軸心周りに回転可能に保持するドラム保持手段と、前記ドラム保持手段を仮想垂直線周りに旋回可能に保持するターンテーブルと、前記ワイヤドラムから送り出されるワイヤを所定位置において送出方向に移動可能に保持するガイド部材と、前記ワイヤドラムと前記ガイド部材との相対位置関係を変えることにより前記ワイヤドラムと前記ガイド部材との間で保持された前記ワイヤを送出作業中よりも起立した状態に変更可能な進退手段とを備えたワイヤ送出装置。
【請求項２】
前記進退手段として、前記ターンテーブル若しくは前記ガイド部材の少なくとも一方に前記ワイヤ送出方向を含む方向における前記ターンテーブルと前記ガイド部材との距離を変更可能な移動機構を設けた請求項１記載のワイヤ送出装置。
【請求項３】
前記ガイド部材を所定位置に保持する架台と、前記ガイド部材に対して接近離隔する方向に移動可能な状態で前記架台に装着された台車とを設け、前記ドラム保持手段及び前記ターンテーブルを備えたドラム保持ユニットを前記台車に取り付けた請求項１記載のワイヤ送出装置。
【請求項４】
前記ドラム保持ユニットが前記台車に着脱可能である請求項３記載のワイヤ送出装置。
【請求項５】
前記台車の移動及び前記ターンテーブルの旋回を阻止するロック機構を設けた請求項１〜４のいずれかに記載のワイヤ送出装置。
【請求項６】
前記ドラム軸心と前記仮想垂直線とが直交した状態となるように前記ドラム保持手段及び前記ターンテーブルを配置した請求項１〜５のいずれかに記載のワイヤ送出装置。
【発明の詳細な説明】
【技術分野】
【０００１】
本発明は、ワイヤドラムに巻回されているワイヤを当該ワイヤドラムを軸心周りに回転させながら所定方向に送り出す装置に関する。
【背景技術】
【０００２】
クレーンなどに使用されているワイヤを新たなワイヤと交換する場合、ワイヤドラムに巻回された状態で納入されたワイヤをそのままワイヤドラムから繰り出してクレーンなどに装着しようとすると、作業途中でワイヤに縒りが発生し、様々な弊害を生じるので、従来、以下のような対策が講じられている。
【０００３】
即ち、納入時のワイヤドラムから全てのワイヤを解いた後、８の字に巻き直して縒りを取り除く方法、クレーンのワイヤを交換した後、クレーン上部の巻きドラムのコッタからワイヤを外してワイヤの縒りを取り除く方法、あるいは納品時のワイヤドラムからワイヤを全て解いて伸ばしてワイヤの縒りを取り除く方法などが実施されている。
【０００４】
しかしながら、前述した方法はワイヤドラムから全てのワイヤを解くのに多大な手間と時間を要し、作業者の肉体的負担も大であるだけでなく、ワイヤドラムから解き出したワイヤを巻き直したり、伸ばしたりするために広大なスペースを必要とするなどの問題がある。
【０００５】
一方、本発明に関連する先行技術として、例えば、特許文献１記載の「ケーブル送出装置」がある。この「ケーブル送出装置」は、ボビンに巻回されたケーブルを、当該ボビンを軸心周りに回転させながら送り出す可能な装置であり、送出作業の途中でケーブルに捩れ（縒り）が生じた場合、それを取り除く機能も有している。
【先行技術文献】
【特許文献】
【０００６】
【特許文献１】実公昭６３−１１３４１５号公報
【発明の概要】
【発明が解決しようとする課題】
【０００７】
特許文献１記載の「ケーブル送出装置」は、送り出し中に生じたケーブルの捩れ（縒り）を取り除く機能を有する点では優れているが、ケーブルが巻回されたボビンを、水平方向の回転軸を有する捩れ解除支持機構で支持する方式であるため、ボビンは片持ち状態となっている。このため、ケーブルが巻回されたボビンの全重量を支える捩れ解除支持機構及びこれらを支える載置部などは頑丈な構造とする必要があり、作業対象であるボビンの重量が増すと、それに対応するために装置の大型化、重量の増大を招き易い。
【０００８】
また、前記「ケーブル送出装置」の場合、ボビン保持部材に対するボビン着脱作業の際には、ボビン取付用保持機構の載置台にボビンを載せてボビンを上下動させなければならないので、着脱作業が面倒であり、ボビンの重量が増すと、作業性が悪化する。
【０００９】
このように、前記「ケーブル送出装置」は、ケーブルが巻回されたボビンが比較的軽量である場合は好適に使用することができるが、クレーンのワイヤなどの大重量のワイヤが巻回されたワイヤドラムからのワイヤ送出作業には不向きであるため、汎用性に欠ける。
【００１０】
さらに、前記「ケーブル送出装置」の場合、送出作業の進行に伴い、ボビンに巻回されているケーブルの残量が減っていくと、ボビンから送り出されるケーブルの位置（高さ）が変化していくので、送出作業が不安定となることがある。
【００１１】
本発明が解決しようとする課題は、汎用性に優れ、安定したワイヤ送出作業を行うことができ、ワイヤの縒り取り作業も容易かつ安全に行うことができるワイヤ送出装置を提供することにある。
【課題を解決するための手段】
【００１２】
本発明のワイヤ送出装置は、軸心が略水平状態に配置されたワイヤドラムを前記軸心の両側部分において当該軸心周りに回転可能に保持するドラム保持手段と、前記ドラム保持手段を仮想垂直線周りに旋回可能に保持するターンテーブルと、前記ワイヤドラムから送り出されるワイヤを所定位置において送出方向に移動可能に保持するガイド部材と、前記ワイヤドラムと前記ガイド部材との相対位置関係を変えることにより前記ワイヤドラムと前記ガイド部材との間で保持された前記ワイヤを送出作業中よりも起立した状態に変更可能な進退手段とを備えたことを特徴とする。ここで、前記「送出作業中よりも起立した状態」とは、ワイヤドラムから送出されているときのワイヤの傾斜角度よりも鉛直方向に近い傾斜角度になっている状態を意味する（以下、同様。）。
【００１３】
このような構成とすれば、軸心が略水平状態に配置されたワイヤドラムは、前記ドラム保持手段により、その軸心の両側部分において当該ドラム軸心周りに回転可能に保持されるので、ワイヤドラムの重量やサイズなどに左右されることなく、安定保持することができる。また、ワイヤドラムから送り出されるワイヤは、ワイヤドラムのワイヤ残量に影響されることなく、前記ガイド部材で所定位置に保持されるので、安定したワイヤ送出作業を行うことができる。このような作用は、ワイヤドラムのサイズに左右されることなく得ることができるので、汎用性にも優れている。
【００１４】
さらに、ワイヤ送出作業中に縒り取りが必要になった場合は、送出作業を中断し、前記進退手段により前記ワイヤドラムと前記ガイド部材との相対位置関係を変え、前記ワイヤドラムと前記ガイド部材との間で保持された前記ワイヤを送出作業中よりも起立した状態に変更した後、ターンテーブルとともにワイヤドラムを仮想垂直線周りに旋回させるだけで、縒りを取り除くことができる。この場合、前記ガイド部材により、ワイヤが送出作業中よりも起立した状態に保持されるので、ワイヤドラムを簡単に旋回させることができ、縒り取り作業は容易である。また、縒り取り作業中、作業者がワイヤに触れる必要がないので、安全性も良好である。縒り取り作業の完了後は、前記進退手段により、前記ワイヤドラムと前記ガイド部材との相対位置関係を元の状態に戻せば、ワイヤも元の傾斜角度に戻るので、容易にワイヤ送出作業を再開することができる。
【００１５】
ここで、前記進退手段として、前記ターンテーブル若しくは前記ガイド部材の少なくとも一方に前記ワイヤ送出方向を含む方向における前記ターンテーブルと前記ガイド部材との距離を変更可能な移動機構を設けることができる。
【００１６】
このような構成とすれば、前記ターンテーブル若しくは前記ガイド部材を移動させることにより、前記ワイヤドラムと前記ガイド部材との距離を変更して両者の相対位置関係を変更させ、両者間で保持されているワイヤを送出作業中よりも起立させたり、元の状態に戻したりすることが可能となるので、縒り取り作業の容易化に有効である。
【００１７】
また、前記ガイド部材を所定位置に保持する架台と、前記ガイド部材に対して接近離隔する方向に移動可能な状態で前記架台に装着された台車とを設け、前記ドラム保持手段及び前記ターンテーブルを備えたドラム保持ユニットを前記台車に取り付けた構成とすることができる。
【００１８】
このような構成とすれば、架台、台車及びドラム保持ユニットからなる一体化されたワイヤ送出装置を形成することができるので、当該ワイヤ送出装置の搬入、設置、撤収などを行う際の作業性が向上する。
【００１９】
この場合、前記ドラム保持ユニットが前記台車に着脱可能な構成とすることもできる。
【００２０】
このような構成とすれば、必要に応じて、前記ドラム保持ユニットを前記台車から取り外しておくことが可能となるので、搬送、保管などの際の利便性が向上する。また、ワイヤドラムのサイズなどに応じて複数種類のドラム保持ユニットを作成しておけば、ワイヤの型式変更にも容易に対応することができる。
【００２１】
一方、前記台車の移動及び前記ターンテーブルの旋回を阻止するロック機構を設けることもできる。
【００２２】
このような構成とすれば、ワイヤ送出作業あるいはワイヤの縒り取り作業などを行っているときに前記ロック機構を機能させることにより、台車やターンテーブルを所定状態に保持することが可能となるため、安全性の向上を図ることができる。
【００２３】
さらに、前記ドラム軸心と前記仮想垂直線とが直交した状態となるように前記ドラム保持手段及び前記ターンテーブルを配置することもできる。
【００２４】
このような構成とすれば、ワイヤの縒り取り作業を行う場合、ターンテーブルの旋回によるワイヤドラムの水平旋回作業を円滑化することができるので、作業性の向上に有効である。
【発明の効果】
【００２５】
本発明により、汎用性に優れ、安定したワイヤ送出作業を行うことができ、ワイヤの縒り取り作業も容易かつ安全に行うことができるワイヤ送出装置を提供することができる。
【図面の簡単な説明】
【００２６】
【図１】本発明の第１実施形態であるワイヤ送出装置のワイヤ送出作業中の状態を示す側面図である。
【図２】図１に示すワイヤ送出装置の縒り取り作業中の状態を示す側面図である。
【図３】図２に示すワイヤ送出装置の一部省略平面図である。
【図４】図２中の矢線Ａ方向から見たワイヤ送出装置の一部省略背面図である。
【図５】図１に示すワイヤ送出装置を構成するドラム保持ユニットの一部省略側面図である。
【図６】図５中の矢線Ｂ方向から見たドラム保持ユニットの一部省略背面図である。
【図７】図１に示すワイヤ送出装置の使用状態を示す概要図である。
【図８】本発明の第２実施形態であるワイヤ送出装置のワイヤ送出作業中の状態を示す一部省略側面図である。
【図９】本発明の第２実施形態であるワイヤ送出装置のワイヤ送出作業中の状態を示す一部省略側面図である。
【発明を実施するための形態】
【００２７】
以下、図面に基づいて本発明の実施形態について説明する。図１〜図４に示すように、本実施形態のワイヤ送出装置１００は、Ｈ型鋼及びＣ型鋼を互いに組み合わせて接合することによって形成された平面視形状が略長方形状をなす架台１０と、架台１０の片方の短辺部材１０ａ側に立設された一対の支柱１１ａ，１１ｂと、支柱１１ａ，１１ｂからそれぞれ他方の短辺部材１０ｂ側に向かって水平に延設された梁材１２ａ，１２ｂの先端寄りに軸支されたガイド部材１３と、架台１０の長辺１０ｂ，１０ｃの長手方向に沿って移動可能に設けられた台車３０と、台車３０上に着脱可能に搭載されたドラム保持ユニット５０と、を備えている。ドラム保持ユニット５０は、ワイヤドラム９０を軸心９０ｃ周りに回転自在に保持するドラム保持手段６０と、ドラム保持手段６０を仮想垂直線Ｌ周りに旋回可能に保持するターンテーブル８０を備えている。
【００２８】
後述するように、架台１０の長辺１０ｂ，１０ｃの長手方向に沿って台車３０を移動させることにより、ワイヤドラム９０とガイド部材１３との相対位置関係を変えると、ワイヤドラム９０とガイド部材１３との間で保持されたワイヤＷを送出作業中よりも起立した状態に変更することができる。即ち、台車３０は、ワイヤドラム９０とガイド部材１３との相対位置関係を変えることにより、ワイヤドラム９０とガイド部材１３との間で保持されたワイヤＷを送出作業中よりも起立した状態に変更可能な進退手段の一つである移動機構を構成している。
【００２９】
ガイド部材１３は、その両端部分が、梁材１２ａ，１２ｂの下面側にそれぞれ取り付けられた軸受１４ａ，１４ｂに略水平姿勢で回転自在に軸支された円柱状のローラである。ガイド部材１３の上方には、ワイヤＷが挿通可能な隙間を隔てて水平バー材１５が配置されている。また、支柱１１ａ，１１ｂ間のガイド部材１３より低い位置に水平バー材１６が配置されている。また、ガイド部材１３の両端付近に、ガイド部材１３及び水平バー材１５と立体交差した状態で左右一対のサイドガイド部材１８ａ，１８ｂが垂直方向に配置されている。
【００３０】
ワイヤ送出装置１００における移動機構である台車３０は、架台１０の内周側に配置され、ドラム保持ユニット５０を着脱可能に搭載する本体部３１と、本体部３１の周縁に軸支された複数の車輪３２とを備え、ターンテーブル８０の下面に形成された複数の突起８１をそれぞれ嵌め込んで係止するための嵌合管３３が本体部３１に設けられている。複数の車輪３２は、長辺部材１０ｃ，１０ｄの内側をそれぞれの長手方向に沿って走行可能である。長辺部材１０ｃ，１０ｄの車輪３２の走行領域の両端部分には、台車３０の移動を所定位置（ワイヤ送出作業位置、ワイヤ縒り取り作業位置）で止めるためのストッパ３４ａ，３４ｂが設けられている。また、長辺部材１０ｃの支柱１１ａ寄りの部分には、垂直方向の貫通孔を有するロック板１７が水平方向に突設されている。
【００３１】
図５，図６に示すように、ドラム保持ユニット５０は、台車３０の本体部３１上に着脱可能に装着されるターンテーブル８０と、ターンテーブル８０上に一体的に形成されたドラム保持手段６０とを備えている。ターンテーブル８０は、台車３０の本体部３１の直上に載置される支持板８２と、支持板８２上に支軸８３を介して取り付けられた回転板８４と、を備えている。回転板８４は、支持板８２に対し、支軸８３の軸心である仮想垂直線Ｌ周りに旋回可能である。
【００３２】
支持板８２の下面には、倒立円錐台形状をなす複数の突起８１が下方に向かって突設されている。支持板８２の角縁部には、台車３０を所定位置（ワイヤの縒り取り作業位置）に固定するための貫通孔を有するロック板８５が水平方向に突設されている。また、ワイヤ送出作業中に回転板８４が回転したり、台車３０が移動したりするのを阻止するため、回転板８４の後縁部に、貫通孔を有するロック板８６が水平方向に突設されている。
【００３３】
ドラム保持手段６０は、ターンテーブル８０の支持板８２上に対向状態に立設された一対の支持壁６１ａ，６１ｂと、それぞれの支持壁６１ａ，６１ｂ上に取り付けられた樋形状の軸受部６２ａ，６２ｂと、ドラム保持ユニット５０を移動させたり、旋回させたりするときに作業者が把持して使用する操作ハンドル６３と、ドラム保持手段６０で保持されたワイヤドラム９０の回転を止めるためのブレーキ６４と、を備えている。
【００３４】
支持壁６１ａ，６１ｂは側面視形状が略富士山形状の板材で形成され、ワイヤドラム９０の幅（図４に示す一対の鍔部材９０ａ，９０ｂの外側面同士の間隔）より広い間隔を置いて対向配置されている。支持壁６１ａ，６１ｂの頂上部分に位置する軸受部６２ａ，６２ｂ上に、ワイヤドラム９０の芯孔に回転自在に挿通された軸体９１の両部端を載置し、離脱防止具（図示せず）で係止することにより、ワイヤドラム９０はドラム保持手段６０に回転自在に装着される。
【００３５】
ブレーキ６４は支軸６４ａを介して支持壁６１ａ，６１ｂに軸支され、必要に応じて、作業者が足踏み部６４ｂを踏むと反対側に設けられたブレーキシュー６４ｃがワイヤドラム９０の周縁に圧接され、その回転を止めることができる。なお、ワイヤＷの送出作業が中断された直後の回転中のワイヤドラム９０がブレーキ６４によって急停止された場合、ワイヤドラム９０やワイヤ送出装置１００全体がワイヤＷの送出方向に引きずられ、不都合が生じる可能性があるので、ブレーキ６４の制動力はワイヤドラム９０が急停止しない程度に抑制して設定されている。
【００３６】
次に、図１，図２，図７を参照し、ワイヤ送出装置１００の使い方について説明する。図７（ａ）に示すように、軸体９１を介してワイヤドラム９０が回転自在に保持されたドラム保持ユニット５０を台車３０上に載置し、図１に示すように、ロックピンＰ１をロック板８６の貫通孔（図示せず）から架台１０の短辺部材１０ｂのロック孔１０ｅに向かって差し込む。これにより、ドラム保持ユニット５０が台車３０とともに移動したり、ワイヤドラム９０が仮想垂直線Ｌ周りに回転したりしないように係止される。
【００３７】
この後、ワイヤドラム９０に巻回されているワイヤＷを引き出して、サイドガイド部材１８ａ，１８ｂの間からガイド部材１３と水平バー材１５との間及び水平バー材１６の上方を経由して目的場所まで延伸させると、図１に示すように、ワイヤＷは矢線Ｘ方向に向かって送出可能となり、ワイヤ送出作業を開始することができる。
【００３８】
ワイヤ送出作業中は図１に示すように、ワイヤドラム９０の軸心９０ｃが略水平状態に配置されたワイヤドラム９０は、ドラム保持手段６０により、ワイヤドラム９０の両側部分において当該軸心９０ｃ周りに回転可能に保持されるので、ワイヤドラム９０の重量やサイズに左右されず安定保持することができる。また、ワイヤドラム９０から送り出されるワイヤＷは、ワイヤドラム９０のワイヤ残量に影響されることなく、ガイド部材１３で所定位置に保持されるので、安定したワイヤ送出作業を行うことができる。
【００３９】
ワイヤ送出作業中に縒り取りが必要になった場合、送出作業を中断してワイヤドラム９０の回転を止め、ロックピンＰ１を抜き取った後、図７（ｂ）に示すように、台車３０を正面方向（支柱１１ａ，１１ｂに接近する方向）に移動させることにより、ワイヤドラム９０をドラムドラム保持ユニット５０とともにガイド部材１３の下方領域に進入させる。台車３０の正面側の車輪３２がストッパ３４ｂに当接した時点で台車３０が止まるので、図２に示すように、この状態でロックピンＰ２をロック板８５の貫通孔（図示せず）からロック板１７の貫通孔に向かって差し込むと、台車３０が移動しないように係止され、図２に示す状態となる。
【００４０】
即ち、前述したように台車３０を移動させると、ワイヤドラム９０とガイド部材１３との相対位置関係が変化し、ワイヤドラム９０とガイド部材１３との間で保持されたワイヤＷの傾斜角度は送出作業中の状態（図１に示す状態）よりも起立した状態（図２に示す状態）となる。
【００４１】
この後、ターンテーブル８０の回転板８４とともにドラム保持手段６０で保持されたワイヤドラム９０を支軸８３（仮想垂直線Ｌ）周りに３６０度旋回させると、ワイヤＷの縒りを取り除くことができる。この場合、ワイヤドラム９０上方に位置するガイド部材１３によりワイヤＷが、送出作業中よりも起立した状態に保持されるので、ワイヤドラム９０を簡単に旋回させることができ、縒り取り作業は容易である。また、縒り取り作業中にワイヤＷに作業者が触れる必要がないので、安全性も良好である。
【００４２】
なお、ワイヤＷの縒り取り作業をスムーズに行うためには、図４に示すように、ガイド部材１３の位置を、ワイヤドラム９０を形成する一対の鍔部材９０ａ，９０ｂの内側面同士の間の領域Ｒ内であって、鍔部材９０ａ，９０ｂの外周縁の最上部より高い位置に配置することが望ましい。
【００４３】
縒り取り作業が終わったら、ロックピンＰ２（図２参照）を抜き取り、図７（ｄ）に示すように、台車３０とともにドラム保持ユニット５０及びワイヤドラム９０をガイド部材１３の下方領域から退出させ、架台１０の背面側の元の位置まで移動させた後、ロックピンＰ１をロック板８６の貫通孔（図示せず）から架台１０の短辺部材１０ｂのロック孔１０ｅに向かって差し込むと、図１に示す状態となり、ワイヤ送出作業を再開することができる。
【００４４】
なお、図１に示すワイヤＷの送出作業及び図７に示す縒り取り作業においては、ワイヤドラム９０と支柱１１ａ，１１ｂとの間の領域に作業者が立ち入る必要がないので、安全性の確保の面においても優れている。また、図３中に示す仮想円Ｃはターンテーブル８０の回転板８４及びワイヤドラム９０などが支軸８３周りに旋回するときの最外周軌跡を示しているが、この仮想円Ｃの範囲内に障害物がない限り、縒り取り作業を円滑かつ安全に行うことができる。
【００４５】
次に、図８，図９に基づいて、本発明の第２，第３実施形態であるワイヤ送出装置２００，３００について説明する。なお、図８，図９中において、図１〜図７中の符号と同符号を付している部分は、前述したワイヤ送出装置１００の構成部分と同じ構造、機能などを有する部分であり、説明を省略する。
【００４６】
図８に示すワイヤ送出装置２００においては、支柱１１ａ（１１ｂ）の下端部が、架台１０の長辺部材１０ｄ（１０ｃ）の長手方向に沿って走行可能な台車２０１を介して架台１０に取り付けられている。ワイヤ送出装置２００によるワイヤ送出作業は図８に示す状態で行うことができ、ワイヤ送出作業中にワイヤＷの縒り取りが必要になった場合は、台車２０１を移動させることにより、ワイヤドラム９０とガイド部材１３との相対位置関係を変え、ワイヤドラム９０の上方領域にガイド部材１３を進入させれば、図２で示した場合と同様、送出作業中よりもワイヤＷが起立した状態となるので、図７（ｂ），（ｃ）に示すような手順でワイヤＷの縒り取りを行うことができる。
【００４７】
即ち、台車２０１は、ワイヤドラム９０とガイド部材１３との相対位置関係を変えることにより、ワイヤドラム９０とガイド部材１３との間で保持されたワイヤＷを送出作業中よりも起立した状態に変更可能な進退手段の一つである移動機構を構成している。
【００４８】
縒り取り作業が終わったら、台車２０１とともに支柱１１ａ（１１ｂ）を元の位置に戻せば、ワイヤＷは元の状態（送出作業中と同じ傾斜角度）に戻るので、ワイヤ送出作業を再開することができる。なお、ワイヤ送出作業中及びワイヤ縒り取り作業中に台車３０が動かないように架台１０に係止するための係止機構（図示せず）が設けられているため、作業性及び作業中の安全は十分に確保することができる。
【００４９】
ワイヤ送出装置２００においては、台車２０１が移動機構として機能しているが、これに限定しないので、図１に示すワイヤ送出装置１００の様に、支柱１１ａ（１１ｂ）の下端部を架台１０に固定した構造とするとともに、梁材１２ａ（１２ｂ）をそれぞれ長手方向に伸縮させガイド部材１３を移動させる機構を設ければ、ワイヤドラム９０とガイド部材１３との相対位置関係を変えて、ワイヤドラム９０とガイド部材１３との間で保持されるワイヤＷを送出作業中よりも起立した状態に変更したり、送出作業中の状態に戻したりすることができる。
【００５０】
図９に示す、ワイヤ送出装置３００においては、支柱１１ａ（１１ｂ）の下端部が、架台１０の短辺部材１０ａと平行な支軸３０１を介して架台１０の短辺部材１０ａ付近に回動可能に取り付けられている。ワイヤ送出装置３００によるワイヤ送出作業は、図９中の実線で示す状態で行うことができ、ワイヤ送出作業中にワイヤＷの縒り取りが必要となった場合は、支柱１１ａ（１１ｂ）を支軸３０１中心に傾動させ、ワイヤドラム９０の上方領域にガイド部材１３を進入させると、ワイヤドラム９０とガイド部材１３との相対位置関係が変わり、図２に示す状態に近い状態（ワイヤドラム９０とガイド部材１３との間で保持されたワイヤＷが送出作業中よりも起立した状態）となるので、図７（ｂ），（ｃ）に示すような手順でワイヤＷの縒り取りを行うことができる。
【００５１】
即ち、架台１０の短辺部材１０ａと平行な支軸３０１を介して架台１０の短辺部材１０ａ付近に回動可能に取り付けられた支柱１１ａ（１１ｂ）は、ワイヤドラム９０とガイド部材１３との相対位置関係を変えることにより、ワイヤドラム９０とガイド部材１３との間で保持されたワイヤＷを送出作業中よりも起立した状態に変更可能な進退手段の一つである移動機構を構成している。
【００５２】
縒り取り作業が終わったら、支柱１１ａ（１１ｂ）を支軸３０１中心に回動させて元の直立状態に戻せば、ワイヤＷは元の状態（送出作業中と同じ傾斜角度）に戻るので、ワイヤ送出作業を再開することができる。なお、ワイヤ送出作業時及びワイヤ縒り取り作業時に支柱１１ａ（１１ｂ）が支軸３０１中心に回動するのを防止する係止機構（図示せず）が設けられているため、作業性及び作業中の安全は十分に確保することができる。
【００５３】
なお、図１〜図９に基づいて説明したワイヤ送出装置１００，２００，３００などは、本発明を例示するものであり、本発明のワイヤ送出装置は前述したワイヤ送出装置１００，２００，３００などに限定されない。また、本発明のワイヤ送出装置は、ケーブル、電線あるいは紐状体などワイヤ以外の部材が巻回されたドラムからの送出作業においても好適に使用することができる。
【産業上の利用可能性】
【００５４】
本発明のワイヤ送出装置は、ワイヤを内蔵する各種搬送機械類が使用される製造業や加工業などの分野において広く利用することができる。
【符号の説明】
【００５５】
１０  架台
１０ａ，１０ｂ  短辺部材
１０ｃ，１０ｄ  長辺部材
１１ａ，１１ｂ  支柱
１２ａ，１２ｂ  梁材
１３  ガイド部材
１４ａ，１４ｂ  軸受
１５，１６  水平バー材
１７  ロック板
１８ａ，１８ｂ  サイドガイド部材
３０，２０１  台車
３１  本体部
３２  車輪
３３  嵌合管
３４ａ，３４ｂ  ストッパ
５０  ドラム保持ユニット
６０  ドラム保持部材
６１ａ，６１ｂ  支持壁
６２ａ，６２ｂ  軸受部
６３  操作ハンドル
６４  ブレーキ
６４ａ，８３，３０１  支軸
６４ｂ  足踏み部
６４ｃ  ブレーキシュー
８０  ターンテーブル
８１  突起
８２  支持板
８４  回転板
８５，８６  ロック板
９０  ワイヤドラム
９０ａ，９０ｂ  鍔部材
９０ｃ  軸心
９１  軸体
１００，２００，３００  ワイヤ送出装置
Ｃ  仮想円
Ｌ  仮想垂直線
Ｒ  領域
Ｗ  ワイヤ
【図１】
2014108887.tif 000003
【図２】
2014108887.tif 000004
【図３】
2014108887.tif 000005
【図４】
2014108887.tif 000006
【図５】
2014108887.tif 000007
【図６】
2014108887.tif 000008
【図７】
2014108887.tif 000009
【図８】
2014108887.tif 000010
【図９】
2014108887.tif 000011